(57)【要約】【課題】  犯人に気付かれないように犯人を特定する化合物を噴射・塗布し、容疑者が事件現場にいたことを確実に証明できる防犯噴射装置を提供する。【解決手段】  防犯噴射装置１００は、充填タンク２０に充填した噴霧薬剤１０を噴射する噴射機構３０を備える。噴霧薬剤１０は基剤１２に標識剤１１が封入されたものとなっている。標識剤１１は光や空気中の水分により化学的変化を起こす性質を備えている。噴霧薬剤を噴霧後、標識剤１１が時間差をもって化学的変化を起こして所定の機能を発揮する。例えば、標識剤が、固有の励起パターンや吸収パターンを持つ光を発光する。個々の防犯噴射装置１００ごとに異なる励起パターンや吸収パターンが割り当てられている。噴霧付着箇所において付着した標識剤が、どの防犯噴射装置１００から噴霧されたものであるか特定するＩＤとして利用できる。【選択図】  図１
2011257874.tif 000002
【特許請求の範囲】
【請求項１】
充填した噴霧薬剤を噴射する噴射機構を備えた防犯噴射装置において、前記噴霧薬剤を、溶剤、希釈剤、展着剤などから構成される基剤と、視覚または嗅覚など人間あるいは動物の官能により容易に認知される化学物質およびそれらの混合物を用いて調製された標識剤から構成される薬剤とし、前記噴霧薬剤が噴霧された後、前記標識剤が光あるいは空気中の水分、酸素などにより化学的変化を生じることにより時間差をもって噴霧付着箇所においてその認知されるべき機能を発揮するようにした防犯噴射装置。
【請求項２】
前記標識剤が、可視光線、紫外線、赤外線、電子線などに対し特徴的な吸収を有するか、またはそれら光線などにより特異な励起波長を発生する有機、無機化合物あるいはそれらの混合物により構成され、その噴霧付着箇所を化学分析あるいは機器分析などの科学的分析法により分析を行う事により、どの前記防犯噴射装置から噴霧されたものであるか特定するＩＤとして利用できることを特徴とする請求項１に記載の防犯噴射装置。
【請求項３】
前記標識剤が、分子構造中に安定同位元素を含む有機、無機化合物あるいはそれらの混合物により構成され、その噴霧付着箇所を化学分析あるいは機器分析などの科学的分析法により分析を行う事により、どの前記防犯噴射装置から噴霧されたものであるか特定するＩＤとして利用できることを特徴とする請求項１に記載の防犯噴射装置。
【請求項４】
前記標識剤が、一般に日常生活では容易に外部からのコンタミネーションを受け得ない微量元素を含有し前記噴射薬剤に用いられる基材と相溶性を有する化合物あるいは単体元素あるいはそれらの混合物から構成される事を特徴とし、その噴霧付着箇所を化学分析あるいは機器分析などの科学的分析法により分析を行う事により、どの前記防犯噴射装置から噴霧されたものであるか特定するＩＤとして利用できることを特徴とする請求項１に記載の防犯噴射装置。
【請求項５】
充填した噴霧薬剤を噴射する噴射機構を備えた防犯噴射装置において、
前記噴霧薬剤を、第１の化合物を第２の化合物により封入した２層構造とし、
前記第２の化合物を、空気中の水分により溶解する性質を備えた凝固剤とし、
前記噴霧薬剤が噴霧された後、前記第１の化合物が時間差をもって噴霧付着箇所において露出するようにした防犯噴射装置。
【請求項６】
前記第１の化合物が、固有の遺伝子配列パターンを持つ動植物のＤＮＡ包含物質を含み、個々の前記防犯噴射装置ごとに異なる前記遺伝子配列パターンが割り当てられたものであり、
前記第２の化合物が、高圧下の充填期間および前記高圧下から大気圧下への圧力変化を受ける噴霧時において、前記ＤＮＡ包含物質が破壊・劣化しないように保護し、前記噴霧後に前記時間差をもって分解して前記ＤＮＡ包含物質を露出させる保護膜として構成された構造を備え、
前記噴霧付着箇所において露出した前記ＤＮＡ包含物質が、どの前記防犯噴射装置から噴霧されたものであるか特定するＩＤとして利用できることを特徴とする請求項５に記載の防犯噴射装置。
【請求項７】
前記第１の化合物が化学染料を含み、前記噴霧後、前記時間差をもって前記化学染料が前記噴霧付着箇所に染み付くものである請求項５または６に記載の防犯噴射装置。
【請求項８】
前記第１の化合物が人間の臭覚には不感で犬の嗅覚には感得される徐放性物質を含み、前記噴霧後、前記時間差をもって前記徐放性物質が前記噴霧付着箇所から徐放されてゆくものである請求項５から７のいずれか１項に記載の防犯噴射装置。
【請求項９】
前記第１の化合物が臭気性物質を含み、前記噴霧後、前記時間差をもって前記噴霧付着箇所において臭気が漂うものである請求項５から７のいずれか１項に記載の防犯噴射装置。
【請求項１０】
手動により押下する起動スイッチと、
前記起動スイッチ押下により起動され、人の位置を感知する人感センサと、
前記人感センサにより得た制御信号により前記噴射機構の開閉を操作する噴射機構開閉操作部を備え、前記犯罪行為または前記犯罪予備行為の行為者に対して前記噴霧薬剤を自動噴霧する請求項１から９のいずれか１項に記載の防犯噴射装置。
【請求項１１】
撮像手段から得た画像データの画像認識結果または音声取得手段から得た音声データの音声認識結果から、犯罪行為または犯罪予備行為を検知する犯罪検知部と、前記犯罪検知部により得た制御信号により前記噴射機構の開閉を操作する噴射機構開閉操作部を備え、
前記犯罪検知部が、前記検知にかかる前記犯罪行為または前記犯罪予備行為の行為者の位置に応じて、前記噴射機構開閉操作部に制御信号を与え、前記噴霧薬剤を自動噴霧する請求項１から９のいずれか１項に記載の防犯噴射装置。
【請求項１２】
請求項１から１１のいずれか１項に記載の防犯噴射装置を組み込んだ建物入口設備、足マット、来訪者受付カウンターなどの建造物付随設備。
【請求項１３】
請求項１から１１のいずれか１項に記載の前記防犯噴射装置を組み込んだＡＴＭ、金庫、レジスター、商品陳列ケースなどの金品取り扱い設備。
【請求項１４】
請求項１から１１のいずれか１項に記載の前記防犯噴射装置を組み込んだ警棒、防護盾などの防犯器具。
【発明の詳細な説明】
【技術分野】
【０００１】
本発明は、銀行、郵便局、貴金属店、コンビニエンスストアなどの店舗や現金輸送車などに設置する防犯システムに関するものである。
【背景技術】
【０００２】
近年、銀行や郵便局等の金融機関、高価な商品を扱う宝飾店、レジスターがカウンター近くに見えるコンビニエンスストアや一般商店等を襲う強盗事件が多発している。この種の事件は一般顧客が来店する形態であるため、犯人を捜査することが容易でなく、結局、未解決のままと犯人が逮捕されない場合が多い。
【０００３】
これら店舗などにおける従来の防犯システムとして、警報通知システムにより警察組織に通報するもの、隠しカメラによる犯人画像の撮像システムなどがあるが、警報通知システムは即応性に欠け、警察官が被害店舗に駆けつけるまでに犯罪行為が既遂してしまうケースも多い。また、犯人画像の撮像システムは犯罪の一定の抑止効果はあるものの即応性がなく、かつ、犯人は一般に顔を隠している為に犯人画像のみで特定することは容易でない。
【０００４】
近年普及しつつある防犯グッズとして、銀行や郵便局等の金融機関、コンビニエンスストア、ドラックストア等の接客カウンターに、蛍光塗料などの液体を充填したカラーボールを設置しておき、犯人に投げつけるものがある。蛍光塗料などの液体を浴びることにより犯人が動揺し、犯人撃退につながることはある。しかし、凶器を持ち俊敏に行動する犯人に対して、的確にカラーボールを投げ当てることは困難であり、時には従業員や一般の来客に危険が及ぶ場合もある。また、カラーボールが犯人に的中せずに強奪されたとき、捜査の際に犯人を特定する証拠がなく、犯人逮捕までかなりの時間を要することもある。
【０００５】
従来技術において、上記カラーボールの欠点を解消するために、金融機関等の出入口に塗料を噴射する装置を設置し、逃走時に犯人めがけて塗料を噴射して、犯人に付着した塗料によって目印をつけ犯人逮捕の確実な手掛かりとする対策が講じられている。
【０００６】
例えば、特開平９−１４７２５４号公報では、着色液体を蓄積する液溜と、圧縮空気が蓄積されたタンクと店舗内所定個所に設けられた噴霧ノズルなどを備え、店舗内で接客用員の常駐位置近傍に設けられた起動スイッチ操作により噴射口から塗料をスプレー状に噴射させる装置が開示されている。
【０００７】
また、特開２００３−２５４６９６号公報では、催涙刺激物質であるＬ−メントールをエタノールに溶かしたエタノール溶液を内容物とし、この催涙水溶液が充填されたスプレー容器と、このスプレー容器から前記催涙水溶液噴射するノズルとを備えた防犯用催涙スプレーが開示されている。催涙性の刺激物を噴霧ガス中に混入することにより犯人撃退効果を向上せしめている。
【０００８】
また、犯人撃退の臭気性の液体を噴霧するものとして、特開２００６−１７１８３８号公報がある。特開２００６−１７１８３８号公報の技術は、一対の液噴霧器を並列装備し、一方の液噴霧器には臭気性物質を凝固剤で封印した薬液を充填し、他方の液噴霧器には凝固剤を溶かす溶剤を充填し、犯人撃退時には両方を同時に浴びせかけ、凝固剤が溶剤で溶けた後、臭気性物質が犯人の鼻をつく臭気を放ち、犯人を撃退するものである。
【０００９】
【特許文献１】特開平９−１４７２５４号公報
【特許文献２】特開２００３−２５４６９６号公報
【特許文献３】特開２００６−１７１８３８号公報
【発明の開示】
【発明が解決しようとする課題】
【００１０】
特許文献１の防犯装置によれば、着色液体が犯人に対して付着すれば、金品を強奪した後に逃走した犯人を追跡する際の一定の目印となり得る。しかし、着色液体は犯人もすぐに感得することができ、着色液体が付着していることに気付いた犯人は、衣服を脱いで交換したり、洗い流したりして着色液体付着を除去することは可能である。そのため、着色液体を手掛かりにして犯人を追跡・特定し、当該容疑者が着色液体を浴びた犯人であることの証拠とする効果は半減してしまう。
【００１１】
また、特許文献２の防犯装置によれば、小型で様々な場所に常備でき、ノズルからガス噴射により犯人を狙い撃つものであり、カラーボールのように従業員が投げつけるものに比べて命中しやすく、また、催涙刺激物質を浴びた犯人は目のしびれ、鼻のしびれなどを起こし、犯人を撃退する一定の効果が得られる。しかし、このような催涙ガスは、犯人の目や鼻に対して的確に吹き付けないと効果は大きく減じられるため、従業員が防犯装置のノズルを犯人の顔に向けて構え、噴き付けなければならないが、それは勇気のいることであり、従業員が萎縮して正確に犯人の顔に噴射できないおそれがある。また、噴射したものの犯人の顔から外れた場合、犯人が逆上し、従業員の生命身体に危害が及ぶおそれがある。そのため、噴射に失敗しても犯人の逆上を招かず、逃走後に追跡が確実にできる仕組みが必要である。
【００１２】
また、特許文献３の防犯装置によれば、臭気性物質が臭気を放つタイミングを調整し、その後、強烈な臭気を放つことで犯人の動揺を誘い、犯人に逃走を諦めさせるという一定の効果はある。しかし、特許文献３の防犯装置は、２液準備し、それぞれ異なる独立した液噴霧器に充填した上で同時に犯人に浴びせなければならない。２つの独立した液噴霧器を同時に作動させるのを失敗したり、同時には噴霧したものの犯人の立ち位置、角度、距離などにより２液が必ずしも混ざるように付着するとは限らず、２液が混ざらないと臭気は発生しないという問題がある。また、犯人に２液が混ざるように付着し、臭気が発生しても、犯人が逃走を続けた場合、容疑者が臭気に気づき、洗浄などすれば、容疑者を確保しても、容疑者が犯罪現場に居たという証拠が得られない。
【００１３】
上記問題点に鑑み、本発明は、犯人に対して気付かれないように犯人を特定する化合物を噴射・塗布し、身体の一部に付着するだけでも警察犬などによる追跡を可能とし、特定した容疑者が事件現場にいたことを確実に証明できる防犯噴射装置を提供することを目的とする。
【課題を解決するための手段】
【００１４】
上記目的を達成するため、本発明の第１の防犯噴射装置は、充填した噴霧薬剤を噴射する噴射機構を備えた防犯噴射装置において、前記噴霧薬剤を、溶剤、希釈剤、展着剤などから構成される基剤と、視覚または嗅覚など人間あるいは動物の官能により容易に認知される化学物質およびそれらの混合物を用いて調製された標識剤から構成される薬剤とし、前記噴霧薬剤が噴霧された後、前記標識剤が光あるいは空気中の水分、酸素などにより化学的変化を生じることにより時間差をもって噴霧付着箇所においてその認知されるべき機能を発揮するようにした防犯噴射装置である。
【００１５】
例えば、前記標識剤が、可視光線、紫外線、赤外線、電子線などに対し特徴的な吸収を有するか、またはそれら光線などにより特異な励起波長を発生する有機、無機化合物あるいはそれらの混合物により構成され、その噴霧付着箇所を化学分析あるいは機器分析などの科学的分析法により分析を行う事により、どの前記防犯噴射装置から噴霧されたものであるか特定するＩＤとして利用できる。
【００１６】
また、例えば、前記標識剤が、分子構造中に安定同位元素を含む有機、無機化合物あるいはそれらの混合物により構成され、その噴霧付着箇所を化学分析あるいは機器分析などの科学的分析法により分析を行う事により、どの前記防犯噴射装置から噴霧されたものであるか特定するＩＤとして利用できる。
【００１７】
また、例えば、前記標識剤が、一般に日常生活では容易に外部からのコンタミネーションを受け得ない微量元素を含有し前記噴射薬剤に用いられる基材と相溶性を有する化合物あるいは単体元素あるいはそれらの混合物から構成される事を特徴とし、その噴霧付着箇所を化学分析あるいは機器分析などの科学的分析法により分析を行う事により、どの前記防犯噴射装置から噴霧されたものであるか特定するＩＤとして利用できる。
【００１８】
例えば、前記標識剤が臭気性物質を含むものであれば、噴霧後、時間差をもって噴霧付着箇所において臭気が漂うこととなる。噴霧薬剤の噴霧の際にはそのような刺激臭の薬剤を浴びたことが犯人には認識されず、犯人の逆上を招くことがない。噴霧後、時間差をもって噴霧付着箇所において標識剤が露出するため、犯人が犯行現場から立ち去った後で刺激臭の薬剤を浴びたことを認識するが、周囲の人にも認識されるため、逃走を困難とする効果がある。
【００１９】
次に、上記目的を達成するため、本発明の第２の防犯噴射装置は、充填した噴霧薬剤を噴射する噴射機構を備えた防犯噴射装置において、前記噴霧薬剤を第１の化合物を第２の化合物により封入した２層構造とし、前記第２の化合物を空気中の水分により溶解する性質を備えた凝固剤とし、前記噴霧薬剤が噴霧された後、前記第１の化合物が時間差をもって噴霧付着箇所において露出するようにした防犯噴射装置である。
【００２０】
例えば、前記第１の化合物が、固有の遺伝子配列パターンを持つ動植物のＤＮＡ包含物質を含み、個々の前記防犯噴射装置ごとに異なる前記遺伝子配列パターンが割り当てられたものであり、前記第２の化合物が、高圧下の充填期間および前記高圧下から大気圧下への圧力変化を受ける噴霧時において、前記ＤＮＡ包含物質が破壊・劣化しないように保護し、前記噴霧後に前記時間差をもって分解して前記ＤＮＡ包含物質を露出させる保護膜として構成された構造を備え、前記噴霧付着箇所において露出した前記ＤＮＡ包含物質が、どの前記防犯噴射装置から噴霧されたものであるか特定するＩＤとして利用できるものであることが好ましい。
【００２１】
ここで、ＤＮＡ包含物質は、壊れたり劣化したりしやすいものであり、噴霧用の加圧液化ガスなどとともに高圧で充填されている状態や、高圧状態から大気圧中へ散布されるという圧力変化を受ける状態では壊れたり劣化したりするおそれがある。そこで、本発明では第２の化合物により、噴霧薬剤の充填期間および圧力変化を受ける噴霧時にＤＮＡ包含物質の周囲を保護する保護膜を構成する。なお、この保護膜は、犯人のズボンや靴などに付着して安定状態となった後、第２の化合物が分解してＤＮＡ包含物質が露出する構成となっている。
【００２２】
なお、ＤＮＡ包含物質は、極めて少量でも一意に遺伝子配列パターンを特定できるため、犯人に気づかれない程度の噴霧薬剤の噴霧で良いので、噴霧しても犯人は薬剤が付着していることに気付くことがなく、逃走後に薬剤の除去を行わず、薬剤が付着した衣服を着たまま、もしくは薬剤が付着した身体の部位を洗ったりせずそのままである可能性が高い。本発明では、あらかじめ防犯噴射装置ごとに異なるＤＮＡパターンのＤＮＡ包含物質が封入しておくため、犯人を追跡して容疑者を特定できた場合、付着しているＤＮＡ包含物質のＤＮＡパターンを調べれば、どの防犯噴射装置から噴射した噴霧薬剤を浴びたかが限定でき、犯人が事件現場に確実にいた証拠となる。
【００２３】
また、例えば、前記第１の化合物が化学染料を含み、前記噴霧後、前記時間差をもって前記化学染料が前記噴霧付着箇所に染み付くものが好ましい。化学染料は染み付くと通常の洗濯などでは容易に落ちないものがあり、犯人のズボンや靴などに残留しつづける可能性が高い。また、化学染料はその組成を細かく分析すると製造メーカーと製造ロットなどが特定できる。あらかじめ防犯噴射装置ごとに異なる組成パターンの化学染料や複数の化学物質の配合パターンの化学染料を封入しておけば、犯人を追跡して容疑者を特定できた場合、付着している化学染料の組成パターンを調べれば、どの防犯噴射装置から噴射した噴霧薬剤を浴びたかが限定でき、犯人が事件現場に確実にいた証拠となる。さらに、上記ＤＮＡ包含物質との組み合わせることも可能である。
【００２４】
また、例えば、前記第１の化合物が人間の臭覚には不感で犬の嗅覚には感得される徐放性物質であり、噴霧後、時間差をもって噴霧付着箇所から徐放されてゆくものが好ましい。人間には臭わないものであるので、犯人は薬剤が付着していることに気付くことがないため、逃走後に薬剤の除去を行わず、薬剤が付着した衣服を着たまま、もしくは薬剤が付着した身体の部位を洗ったりせずそのままである可能性が高く、警察犬など第１の化合物を嗅ぎ分けることにより犯人の追跡が容易となる。
上記ＤＮＡ包含物質との組み合わせであれば、逃走現場からの追跡は徐放性物質を追跡することにより可能であり、容疑者特定後の犯行証明はＤＮＡ包含物質により行うことができる。
【００２５】
また、例えば、前記第１の化合物が臭気性物質であり、噴霧後、時間差をもって噴霧付着箇所において臭気が漂うものが好ましい。噴霧薬剤の噴霧の際にはそのような刺激臭の薬剤を浴びたことが犯人には認識されず、犯人の逆上を招くことがない。噴霧後、時間差をもって噴霧付着箇所において第１の化合物が露出するため、犯人が犯行現場から立ち去った後で刺激臭の薬剤を浴びたことを認識するが、周囲の人にも認識されるため、逃走を困難とする効果がある。
【００２６】
次に、噴霧薬剤の犯人への自動噴霧に関する工夫について述べる。
噴霧薬剤の犯人への噴霧が気付かれないように行うため、また、緊迫した状況での従業員の操作という負荷低減のため、自動噴霧装置とすることが好ましい。
本発明の第１の自動噴霧機能付きの防犯噴射装置は、手動により押下する起動スイッチと、前記起動スイッチ押下により起動され、人の位置を感知する人感センサと、前記人感センサにより得た制御信号により前記噴射機構の開閉を操作する噴射機構開閉操作部を備え、前記犯罪行為または前記犯罪予備行為の行為者に対して前記噴霧薬剤を自動噴霧する防犯噴射装置である。
人感センサとしては、例えば、赤外線、焦電、電磁センサなどがある。
【００２７】
この方式であれば、通常時には本発明の防犯噴射装置はいわゆるオフとされて何ら稼働していないが、従業員などが犯罪行為または犯罪予備行為を認識すれば、起動スイッチを自ら押下し、本発明の防犯噴射装置を稼働状態とすれば、その後は、人感センサにより犯人に噴霧するという仕組みである。なお、来客中の一般人に誤って噴霧されないように、犯人が本発明の防犯噴射装置による薬剤が噴霧される位置を通過する前の適切なタイミングで起動スイッチを押下すれば犯人のみに噴射することが可能となる。
【００２８】
次に、本発明の第２の自動噴霧機能付きの防犯噴射装置は、撮像手段から得た画像データの画像認識結果または音声取得手段から得た音声データの音声認識結果から、犯罪行為または犯罪予備行為を検知する犯罪検知部と、前記犯罪検知部により得た制御信号により前記噴射機構の開閉を操作する噴射機構開閉操作部を備え、前記犯罪検知部が、前記検知にかかる前記犯罪行為または前記犯罪予備行為の行為者の位置に応じて、前記噴射機構開閉操作部に制御信号を与え、前記噴霧薬剤を自動噴霧する防犯噴射装置である。
【００２９】
例えば、目出し帽を被った人物画像を認識した場合、拳銃やナイフを持った人物画像を認識した場合、「強盗だ、金を出せ」という声を音声認識した場合、「レジを開けろ」という声を音声認識した場合などは、犯罪行為または犯罪予備行為にあたる状況と判定でき、さらに画像認識により犯人の立ち位置が本発明の防犯噴射装置の薬剤噴射範囲に入っていることを確認すれば、自動的に犯人に向かって噴霧薬剤を噴射できる。
【００３０】
上記の本発明の防犯噴射装置は、多様なものに組み込んで適用することができる。例えば、建物入口設備、足マット、来訪者受付カウンターなどの建造物付随設備に適用することができる。また例えば、ＡＴＭ、金庫、レジスター、商品陳列ケースなどの金品取り扱い設備に適用することができる。また例えば、警棒、防護盾などの防犯器具に組み込むことも可能である。
【発明の効果】
【００３１】
本発明にかかる第１の防犯噴射装置によれば、噴霧薬剤の噴霧後、時間差をもって噴霧付着箇所において標識剤が所定の機能を発揮する。標識剤が、可視光線、紫外線、赤外線、電子線などに対し特徴的な吸収を有するかまたはそれら光線などにより特異な励起波長を発生する有機、無機化合物あるいはそれらの混合物により構成されたもの、分子構造中に安定同位元素を含む有機、無機化合物あるいはそれらの混合物により構成されたもの、一般に日常生活では容易に外部からのコンタミネーションを受け得ない微量元素を含有し噴射薬剤に用いられる基材と相溶性を有する化合物あるいは単体元素あるいはそれらの混合物から構成されたものなどであれば、その噴霧付着箇所を化学分析あるいは機器分析などの科学的分析法により分析を行う事により、どの防犯噴射装置から噴霧されたものであるか特定するＩＤとして利用できる。
【００３２】
また、本発明にかかる第２の防犯噴射装置によれば、噴霧薬剤の噴霧後、時間差をもって噴霧付着箇所において第１の化合物が露出するため、犯人が犯行現場から立ち去った後で第１の化合物の効果が顕在化する。例えば、第１の化合物を人間の臭覚には不感で犬の嗅覚には感得される徐放性物質としたり、人間の視覚には不感の不可視波長光を反射する光学的性質を持つ物質としたり、刺激臭のある薬剤としたり、特定の遺伝子配列パターンを持つ動植物のＤＮＡを含むＤＮＡ包含物質で個々の防犯噴射装置ごとに異なる一意の遺伝子配列パターンとすることができる。その結果、付着箇所の第１の化合物を分析することにより、どの防犯噴射装置から噴霧されたものであるか特定することができる。
【００３３】
本発明にかかる防犯噴射装置は、建物入口設備、足マット、来訪者受付カウンターなどの建造物付随設備に適用したり、ＡＴＭ、金庫、レジスター、商品陳列ケースなどの金品取り扱い設備に適用したり、警棒、防護盾などの防犯器具に組み込むことが可能である。
【発明を実施するための最良の形態】
【００３４】
以下、本発明の防犯噴射装置を添付図面に示す好適実施例に基づいて詳細に説明する。なお、本発明はこれらの実施例に限定されるものではない。
【実施例１】
【００３５】
以下、実施例１の本発明に係る防犯噴射装置の構成例を、図面を参照しながら説明する。
【００３６】
実施例１は、本発明の第１の防犯噴射装置１００の実施例である。
本発明の第１の防犯噴射装置１００は、基剤と標識剤から構成される薬剤を充填し、噴霧薬剤が噴霧された後、標識剤が光あるいは空気中の水分、酸素などにより化学的変化を生じることにより時間差をもって噴霧付着箇所においてその認知されるべき機能を発揮するようにしたものである。
【００３７】
図１は、本発明の実施例１の防犯噴射装置１００の構成例を簡単に示した図である。
図１（ａ）に示すように、防犯噴射装置１００は、噴霧薬剤１０、噴霧薬剤の充填タンク２０、噴射機構３０を備えたものであり、図１（ｂ）に示すように、アタッチメント４０により設置場所の建造物付随設備５０に固定されている。この例では設置場所は銀行等の店舗内の来客カウンターの下方あたりに設けられた構成となっている。
【００３８】
噴霧薬剤１０は、基剤１２に対して標識剤１１を混入したものとなっている。基剤１２は、標識剤１１の溶剤、希釈剤、展着剤であり、標識剤１１は基剤１２中において沈殿、凝集することなく均一に適度に分散された状態となっている。
【００３９】
標識剤１１は、視覚または嗅覚など人間あるいは動物の官能により容易に認知される化学物質およびそれらの混合物を用いて調製されたものである。
この標識剤１１は、薬剤１０が噴霧された後、光あるいは空気中の水分、酸素などにより化学的変化を生じるものである。つまり、薬剤１０が噴霧された後、化学的変化を生じるまで時間を要するため、本発明の薬剤１０は噴霧後に時間差をもって噴霧付着箇所において標識剤１１の認知されるべき機能を発揮するようになっている。
【００４０】
本発明の防犯噴霧装置１００では、後述するように犯人に噴霧薬剤１０を噴霧した後、その付着箇所を化学分析あるいは機器分析などの科学的分析法により分析を行う事により、その噴霧薬剤１０が特定され、さらに、どの防犯噴射装置１００から噴霧されたものであるか特定するＩＤとして利用できるものである。つまり、防犯噴霧装置１００が全国に１万台設置されているとすると、標識剤１１がＩＤとして１万通りのパターンを備え、どの防犯噴射装置１００から噴霧されたものであるか特定できるというものである。
【００４１】
利用する標識剤１１としては多様なものがあり得る。
第１の標識剤１１は、可視光線、紫外線、赤外線、電子線などに対し特徴的な吸収を有するか、またはそれら光線などにより特異な励起波長を発生する有機、無機化合物あるいはそれらの混合物である。吸収パターンまたは励起パターンを調べれば標識剤１１を特定できる。すべての防犯噴霧装置１００に対して異なる吸収パターンまたは励起パターンが得られるように、有機物または無機化合物の混合物の配合を工夫する必要がある。
【００４２】
第２の標識剤１１は、分子構造中に安定同位元素を含む有機物、無機化合物あるいはそれらの混合物である。有機物や無機化合物中の安定同位元素の存在を調べれば標識剤１１を特定できる。すべての防犯噴霧装置１００に対して異なる安定同位元素の組み合わせが得られるように、有機物または無機化合物の安定同位元素の組み合わせを工夫する必要がある。
【００４３】
第３の標識剤１１は、一般に日常生活では容易に外部からのコンタミネーションを受け得ない微量元素を含有し前記噴射薬剤に用いられる基材と相溶性を有する化合物あるいは単体元素あるいはそれらの混合物である。有機物や無機化合物中の微量元素の存在を調べれば標識剤１１を特定できる。すべての防犯噴霧装置１００に対して異なる微量元素の組み合わせが得られるように、有機物または無機化合物の微量元素の組み合わせを工夫する必要がある。
【００４４】
標識剤１１は、光あるいは空気中の水分、酸素などにより化学的変化を生じる性質を持っており、その化学的変化後に標識剤１１は所定の機能を発揮する。化学的変化の時間は、化学的変化を引き起こす光量、空気中の水分量などによって変わるが、ある程度の時間が経過するように調整され、例えば、５分から１０分経過後に標識剤１１の化学的変化が起こり、所定の機能を発揮するように調整しておくことが好ましい。
【００４５】
以上、標識剤１１について説明したが、以下の説明においては、説明を分かりやすくするために、標識剤１１は、空気中の水分により化学的変化を生じ、化学的変化後は、紫外線に対して特徴的な励起パターンの光を発光する標識剤として説明する。
【００４６】
図１に戻って説明を続ける。充填タンク２０は、例えば、金属製缶などの容器であって、内部に噴霧薬剤１０とともに噴霧薬剤を噴霧させるための液化ガス２１が加圧下で充填されているものである。なお、後述するように、勢い良く噴き出すように高圧であれば、犯人が銀行の店舗内など犯罪行為の現場で薬剤を浴びたことを勘づかれやすいので、犯人に噴霧薬剤が到達する程度の噴霧が得られる圧力で良い。前述したように、ここでは充填タンク２０内には化学的変化後に紫外線に対して特徴的な励起パターンの光を発光する第１の薬剤１１が充填されたものとなっている。
【００４７】
噴射機構３０は、充填タンク２０の内部と導通しているノズル３１とノズル開閉機構３２を備え、ノズル開閉機構３２の操作によりノズル３１と充填タンク２０の内部の導通を制御し、充填タンク２０の内部圧力に比べて大気圧が低いため、勢い良く液化ガス２１が気化しつつノズルを介して大気中に噴霧薬剤１０とともに噴射される構造となっている。
【００４８】
なお、犯人が押し入った店舗内でも従業員がノズル開閉機構３２の開閉を操作しやすいように、ノズル開閉スイッチ３３を設ける構成が好ましい。ノズル開閉スイッチ３３はノズル開閉機構３２の開閉を制御するスイッチであり、例えば、銀行店舗内の来客カウンター５０の机部の裏面や床面など、従業員が操作しやすい位置に設けておくことができる。
【００４９】
本実施例１では、防犯噴射装置１００を銀行店舗内の来客カウンターなどの建造物付随設備５０に固定した例となっている。
図１（ｂ）は、銀行店舗内の来客カウンター５０に防犯噴射装置１００を組み込んだ状態を簡単に示している。
【００５０】
図１（ｂ）に示すように、銀行店舗内の来客カウンター５０の机面５１より下の壁面で、犯人の膝から足元にノズル３１が向くように配置されている。
このように犯人の腰から足元にノズル３１が向くように配置しておけば、緊張状態にある犯人にとって、ガス噴射音が聞こえづらく、噴霧されたことに気づきにくいという効果が得られる。また、ズボンなどに付着すれば、逃走時に脱ぎ去りにくいという利点もあり、靴に付着すれば、普段の生活では洗うことが少なく、時間が経過しても噴霧した噴霧薬剤が残存している可能性が高い。
【００５１】
防犯噴射装置１００を来客カウンター５０の下方の所定位置に組み込むため、アタッチメント４０がある。アタッチメント４０の形状や構造は、来客カウンター５０の下方に防犯噴射装置１００を所定位置と所定姿勢で固定する部材であれば良い。
【００５２】
次に、防犯噴射装置１００の犯人に対する使用の流れと、犯人に噴霧薬剤１０が付着した後の流れについて説明する。
【００５３】
図２（ａ）に示すように、犯人が銀行店舗内に押し入った場合、防犯噴射装置１００が取り付けてある来客カウンター５０上に要求された金銭の一部を置くなどし、来客カウンター５０の前方に犯人が立つように誘導する。
【００５４】
次に、図２（ｂ）に示すように、犯人が来客カウンター５０の前方に立った後、犯人が金銭を取る動作の前後などのタイミングを見計らって、従業員がノズル開閉スイッチ３３を押下し、ノズル３１から充填タンク２０内に充填されている噴霧薬剤１０を犯人の膝から足元に向けて噴霧する。
【００５５】
噴霧された噴霧薬剤１０の標識剤１１は、当初、化学的変化を起こす前の状態である。犯人は１分から３分以内に犯行を終え、逃走することが多い。
ここで、標識剤１１は、空気中の水分により化学的変化を生じる。
犯人に噴射薬剤を噴射後から、空気中の水分によって標識剤１１は徐々に化学的変化が進んで行き、犯人が逃走後、５分から１０分経過後に標識剤１１の化学的変化が起こり、機能が発揮される状態となる。つまり、標識剤１１が犯人のズボンや靴などの付着箇所においてその機能を発揮する状態となる。ここでは、化学的変化後に標識剤１１は、照射された紫外線に対して特徴的な励起パターンの光を発光する性質を発揮する。
【００５６】
逃走した犯人を追跡し、容疑者を特定できた場合、犯人のズボンや靴など薬剤１０の付着箇所と思われる箇所に対して紫外線を当てると、防犯噴射装置１００ごとに固有の励起パターンの光を発光することとなる。この発光の励起パターンを調べることにより、容疑者がどこの防犯噴射装置１００の充填タンク２０に充填されていた噴霧薬剤を浴びたのか一意に特定できる。そのため、容疑者が犯行現場で噴霧薬剤１０を浴びた実行犯であるという証拠となり得る。
【００５７】
なお、上記の例では、来客カウンター５０の前に噴射機構３０の噴霧薬剤が噴霧される位置が設定されている場合の説明であったが、噴射機構３０の噴霧薬剤の噴霧位置は犯人の動線にあれば良く、たとえば、入り口付近、フロアマット付近、廊下など店舗の環境に合わせて様々な位置があり得る。
【実施例２】
【００５８】
以下、実施例２の本発明に係る防犯噴射装置の構成例を、図面を参照しながら説明する。
実施例２は、本発明の第２の防犯噴射装置１００ａの実施例である。
本発明の第２の防犯噴射装置１００ａは、噴霧薬剤１０ａが第１の化合物１３を第２の化合物１４により封入した２層構造であり、第２の化合物１４が空気中の水分により溶解する性質を備えた凝固剤とし、噴霧薬剤１０ａが噴霧された後、第１の化合物１３が時間差をもって噴霧付着箇所において露出するようにしたものである。
実施例２は、第１の化合物１３として、固有の遺伝子配列パターンを持つ動植物のＤＮＡ包含物質と、人間の臭覚には不感で犬の嗅覚には感得される徐放性物質の２種類を配合した構成例である。
【００５９】
図３は、本発明の実施例２の防犯噴射装置１００ａの構成例を簡単に示した図である。
図３（ａ）に示すように、防犯噴射装置１００ａは、噴霧薬剤１０ａ、噴霧薬剤の充填タンク２０、噴射機構３０を備えたものであり、図３（ｂ）に示すように、アタッチメント４０により設置場所の建造物付随設備５０に固定されている。この例では設置場所は銀行等の店舗内の来客カウンターの下方あたりに設けられた構成となっている。
【００６０】
噴霧薬剤１０ａは、第１の化合物１３を第２の化合物１４により封入した２層構造となっている。ここで２層構造とは、第１の化合物１３の周囲を第２の化合物１４でコーティングすることにより、噴霧薬剤１０ａの噴霧前の充填タンク２０内では、第１の化合物１３が噴霧薬剤１０ａの表面には露出していない状態になっていることを言う。図３（ａ）では球形の二重構造の噴霧薬剤１０を簡単に示している。
【００６１】
第１の化合物１３は、後述するように、表面をコーティングしていた第２の化合物１４が空気中の水分で溶解した後、露出するものとなっている。
第１の化合物１３としては、ここでは、固有の遺伝子配列パターンを持つ動植物のＤＮＡ包含物質と、人間の臭覚には不感で犬の嗅覚には感得される徐放性物質の２種類が配合されたものとなっている。なお、両者を一体化して第２の化合物１４によりコーティングする必要はなく、固有の遺伝子配列パターンを持つ動植物のＤＮＡ包含物質を第２の化合物１４によりコーティングしたものと、人間の臭覚には不感で犬の嗅覚には感得される徐放性物質を第２の化合物１４によりコーティングしたものの２種類の噴霧薬剤を充填タンク２０内に充填したもので良い。
【００６２】
利用するＤＮＡとしては特に限定されないが、防犯噴射装置１００ａごとに異なる固有の遺伝子配列パターンとして、噴射薬剤１０ａ中の第１の化合物１３がどの防犯噴射装置１００ａに組み込まれた薬剤であるかを特定する必要がある。
利用するＤＮＡとしては、ＤＮＡ化学合成により合成したＤＮＡを利用する方法や自然界の動植物のＤＮＡを利用する方法がある。
ＤＮＡ化学合成により合成したＤＮＡを利用する場合、防犯噴射装置１００ａごとに異なる合成ＤＮＡを利用すれば良い。つまり、防犯噴射装置１００ａを１万本製造する場合、１万通りの合成ＤＮＡを製造して利用することとなる。
自然界の動植物のＤＮＡを利用する場合、もともと個体ごとにＤＮＡパターンは異なるので、防犯噴射装置１００ａごとに異なる個体から採取した細胞片を利用すれば良い。つまり、防犯噴射装置１００ａを１万本製造する場合、１万体の個体を利用することとなる。なお、ＩＤとするために、個体ごとにＤＮＡパターンを得ておき、どの防犯噴霧装置１００ａにどのＤＮＡパターンが入っているか管理する必要がある。例えば、人の頭髪を用いて１万本の防犯噴霧装置１００ａを製作する場合、一万人分の頭髪を集めてＤＮＡパターンを得て管理する。
【００６３】
なお、動植物のＤＮＡは組織片が切り取られた後は徐々に壊れて行き、他の化学物質に混在している環境や、強い圧力が掛かる環境や、圧力が大きく変化する環境などにおいて破壊が進むおそれがあるが、本発明では後述するように第２の化合物１４中に封入することにより内部の第１の化合物１３である動植物のＤＮＡが破壊しないように保護するものとなっている。
【００６４】
次に、人の臭覚には不感で犬の嗅覚には感得される徐放性物質は、人間がその臭気を認識することはできないが、犬によって認識することのできるものである。このような化学物質として、例えば、グリセリン脂肪酸エステル系のラウリン酸エステルやオレイン酸エステルやステアリン酸エステルがあり、また、犬のフェロモン物質であるとされるメチル−ｐ−ヒドロキシベンゾエートなどがある。このような化学物質を用いることによって、噴霧薬剤を浴びた犯人自身が噴霧薬剤を噴霧されたことに全く気がつかず、後の警察犬による捜索を容易とすることができる。また、徐放性物質は犬の嗅覚に感得される天然麝香等の自然物質でも良い。
【００６５】
第２の化合物１４は、第１の化合物１３を内部にマイクロカプセル化して封入する凝固剤であり、親水性があり、空気中の水分（湿気）と触れると溶解する性質を持つ物質である。このような性質を持つ物質であれば特に限定されない。
【００６６】
ここで、第２の化合物１４により第１の化合物１３を封入して噴霧薬剤１０を二重構造とする目的は、内部に封入した第１の化合物１３を充填期間および噴霧時の変化から保護する目的と、噴霧から第１の化合物１３が露出まで時間差を確保するという目的がある。
【００６７】
図４（ａ）に示すように、充填タンク２０内に充填している期間は液化ガスなどとともに高圧で充填されており、動植物のＤＮＡにとって保存には適さない環境であり、どんどん破壊が進んでしまうおそれがある。そこで、第２の化合物１４により第１の化合物１３である動植物のＤＮＡを封入して直接充填タンク２０内の液化ガスに触れないようにしておく。
【００６８】
また、図４（ｂ）に示すように、噴霧薬剤１０の噴霧時の変化についても同様である。高圧下の充填タンク２０の中から噴霧されると急に大気圧下に放出されるため大きな圧力変化を受けるが、この際、動植物のＤＮＡが剥き出しであれば強いストレスを受けて破壊される場合がある。そこで、第２の化合物１４により第１の化合物１３である動植物のＤＮＡを封入して圧力変化から防護する。
【００６９】
このように、第２の化合物１４により第１の化合物１３を封入して噴霧薬剤１０を二重構造とすることにより、動植物のＤＮＡを充填タンク２０から犯人の衣服まで壊さないように到達させる運搬時の保護手段として利用する。
【００７０】
次に、噴霧から第１の化合物１３が露出まで時間差を確保する点について述べる。第２の化合物１４が溶解して第１の化合物１３が露出するまでの時間は、空気中の水分量、第２の化合物１４のコーティング膜厚などによって変わるが、ある程度の時間が経過するように調整され、例えば、５分から１０分経過後に第２の化合物１４が溶解して第１の化合物１３が露出するよう調整しておくことが好ましい。このように調整しておくことで、後述するように、噴霧薬剤１０の噴霧後、時間差をもって第１の化合物１３が露出するようになる。
【００７１】
図３に戻って説明を続ける。充填タンク２０は、例えば、金属製缶などの容器であって、内部に噴霧薬剤１０とともに噴霧薬剤を噴霧させるための液化ガス２１が加圧下で充填されているものである。なお、後述するように、勢い良く噴き出すように高圧であれば、犯人が銀行の店舗内など犯罪行為の現場で薬剤を浴びたことを勘づかれやすいので、犯人に噴霧薬剤が到達する程度の噴霧が得られる圧力で良い。前述したように、本実施例２では、充填タンク２０内に、固有の遺伝子配列パターンを持つ動植物のＤＮＡ包含物質を第２の化合物１４によりコーティングしたものと、人間の臭覚には不感で犬の嗅覚には感得される徐放性物質を第２の化合物１４によりコーティングしたものをブレンドした噴霧薬剤１０ａを充填タンク２０内に充填したものとなっている。
【００７２】
噴射機構３０は、充填タンク２０の内部と導通しているノズル３１とノズル開閉機構３２を備え、ノズル開閉機構３２の操作によりノズル３１と充填タンク２０の内部の導通を制御し、充填タンク２０の内部圧力に比べて大気圧が低いため、勢い良く液化ガス２１が気化しつつノズルを介して大気中に噴霧薬剤１０とともに噴射される構造となっている。
【００７３】
なお、犯人が押し入った店舗内でも従業員がノズル開閉機構３２の開閉を操作しやすいように、ノズル開閉スイッチ３３を設ける構成が好ましい。ノズル開閉スイッチ３３はノズル開閉機構３２の開閉を制御するスイッチであり、例えば、銀行店舗内の来客カウンター５０の机部の裏面や床面など、従業員が操作しやすい位置に設けておくことができる。
【００７４】
本実施例２では、防犯噴射装置１００ａを銀行店舗内の来客カウンターなどの建造物付随設備５０に固定した例となっている。
図３（ｂ）は、銀行店舗内の来客カウンター５０に防犯噴射装置１００ａを組み込んだ状態を簡単に示している。
【００７５】
図３（ｂ）に示すように、銀行店舗内の来客カウンター５０の机面５１より下の壁面で、犯人の膝から足元にノズル３１が向くように配置されている。
このように犯人の腰から足元にノズル３１が向くように配置しておけば、緊張状態にある犯人にとって、ガス噴射音が聞こえづらく、噴霧されたことに気づきにくいという効果が得られる。また、ズボンなどに付着すれば、逃走時に脱ぎ去りにくいという利点もあり、靴に付着すれば、普段の生活では洗うことが少なく、時間が経過しても噴霧した噴霧薬剤が残存している可能性が高い。
【００７６】
防犯噴射装置１００ａを来客カウンター５０の下方の所定位置に組み込むため、アタッチメント４０がある。アタッチメント４０の形状や構造は、来客カウンター５０の下方に防犯噴射装置１００ａを所定位置と所定姿勢で固定する部材であれば良い。
【００７７】
次に、防犯噴射装置１００ａの犯人に対する使用の流れと、犯人に噴霧薬剤１０が付着した後の流れについて説明する。
【００７８】
図５（ａ）に示すように、犯人が銀行店舗内に押し入った場合、防犯噴射装置１００ａが取り付けてある来客カウンター５０上に要求された金銭の一部を置くなどし、来客カウンター５０の前方に犯人が立つように誘導する。
【００７９】
次に、図５（ｂ）に示すように、犯人が来客カウンター５０の前方に立った後、犯人が金銭を取る動作の前後などのタイミングを見計らって、ノズル開閉スイッチ３３を押下し、ノズル３１から充填タンク２０内に充填されている噴霧薬剤１０ａを犯人の膝から足元に噴霧する。なお、噴霧薬剤１０ａの内部に封入されている動植物のＤＮＡ包含物質は防犯噴射装置１００ａごとに異なる固有の遺伝子配列パターンが割り当てられている。
噴霧薬剤１０ａの噴霧時において、第１の化合物１３は凝固剤である第２の化合物１４により封入されており露出していない。
犯人は通常、１分から３分以内に犯行を終え、逃走することが多い。
【００８０】
ここで、第２の化合物１４は、空気中の水分と触れ合うことにより溶解してゆくが、その膜厚などの調整によって内部に封入されている第１の化合物１３が表面に露出するまで時間差が生じるよう調整されており、例えば、５分から１０分経過後に第１の化合物１３が露出する。つまり、犯人が逃走後、５分から１０分経過後に第１の化合物１３が表面に露出してくる。ここでは、動植物のＤＮＡ包含物質、人間の臭覚には不感で犬の嗅覚には感得される徐放性物質の２種類の薬剤が犯人のズボンや靴などに露出してくることとなる。
【００８１】
人間の臭覚には不感で犬の嗅覚には感得される徐放性物質は、付着している犯人のズボンや靴から徐々に徐放されてゆき、犯人の通り道に沿って点々と散在してゆくこととなる。徐放性物質は人間の臭覚には不感であり犯人は気付かないが犬の嗅覚には感得されるものであるので、犯行の通知を受けた警察組織は訓練された警察犬を利用して徐放性物質の痕跡を追ってゆくことができる。つまり、本実施例２の防犯噴射装置１００ａによれば、表面に露出した徐放性物質を利用して逃走した犯人を追跡することができる。
【００８２】
徐放性物質を利用して逃走した犯人を追跡した結果、容疑者をすぐ特定できた場合、徐放性物質が犯人のズボンや靴に付着しており、さらに、動植物のＤＮＡ包含物質が犯人のズボンや靴に付着している。警察犬の反応だけでは決定的な証拠とは言えないが、防犯噴射装置１００ａごとに固有の遺伝子配列パターンとなっている動植物のＤＮＡ包含物質の遺伝子配列パターンを調べることにより、容疑者がどこの防犯噴射装置１００ａの充填タンク２０に充填されていた噴霧薬剤を浴びたのか一意に特定できる。そのため、容疑者が実行犯であるという証拠となり得る。
【００８３】
もし、犯行直後の徐放性物質を用いた警察犬の捜査により容疑者特定までには至らず犯人が逃走に成功し、時間が経過してしまった場合、犯人のズボンや靴に付着している徐放性物質の量は減少してゆく。この場合、防犯ビデオの解析や聞き込みなど旧来手法の捜査が中心となってゆくが、もし、容疑者が絞れた場合に、容疑者のズボンや靴に付着している動植物のＤＮＡ包含物質の遺伝子配列パターンを調べることにより、容疑者が真犯人か否かを特定することができる。ズボンなどは洗濯されている可能性もあるが、靴は洗濯などする可能性は低く、また、逃走に成功した後も同じ靴を履き続けたり家などに置いたりすることが多い。そのため、犯人の靴などに付着している動植物のＤＮＡ包含物質の遺伝子配列パターンを証拠として利用できる可能性がある。
【００８４】
なお、上記の例では、来客カウンター５０の前に噴射機構３０の噴霧薬剤が噴霧される位置が設定されている場合の説明であったが、噴射機構３０の噴霧薬剤の噴霧位置は犯人の動線にあれば良く、たとえば、入り口付近、フロアマット付近、廊下など店舗の環境に合わせて様々な位置があり得る。
【実施例３】
【００８５】
以下、実施例３の本発明に係る防犯噴射装置の構成例を、図面を参照しながら説明する。実施例３は、第１の化合物１３として、臭気性物質を配合した構成例である。実施例２では第１の化合物１３が人間に不感で犬に感得される物質であり、第２の化合物１４が溶解して第１の化合物１３が露出した後も犯人が噴霧薬剤１０ａを感得できず逃走中に気付かないものであったが、本実施例３では、第１の化合物１３が臭気性物質であり、第２の化合物１４が溶解して第１の化合物１３が露出した後は逆に犯人が積極的に噴霧薬剤１０の臭気性を感得させ、周囲の人間に気付かせ、犯人に動揺を与えて逃走を困難化するものである。
【００８６】
本発明の実施例３の防犯噴射装置１００ｂの構成例は、噴霧薬剤１０、噴霧薬剤の充填タンク２０、噴射機構３０を備えたものであり、アタッチメント４０により設置場所の建造物付随設備５０に固定されている。それらは実施例２と同様のもので良く、ここでの詳しい説明は省略する。この例では実施例２と同様に銀行等の店舗内の来客カウンターの下方あたりに設けられた構成となっている。
【００８７】
実施例３の本発明に係る防犯噴射装置１００ｂの噴霧薬剤１０ｂは、第２の化合物１４により第１の化合物１３を封入して噴霧薬剤１０ｂを二重構造となっている点は実施例２と同様であるが、本実施例３では第１の化合物１３は臭気性物質となっている。
【００８８】
第１の化合物１３は、臭気を発する化合物であれば特に限定されないが、例えば、アンモニア、硫化水素、硫化メチル、ノルマル吉草酸、イソ吉草酸、アセトアルデヒドなどのアルデヒド系物質、イソブタノール、酢酸エチル、トルエン、スチレン、キシレン、プロピオン酸、ノルマル酪酸、メチルメルカブタン、トリメチルアミンなどがある。これら臭気性物質は人間には不快な臭いを発するもので、その臭いを発している本人のみならず周囲の人間にも不快な臭いが認識される。つまり、防犯噴射装置から噴霧薬剤１０ｂを犯人に向けて噴霧し、第２の化合物１４が空気中の水分で溶解した後、犯人のズボンなどの付着場所で臭気を漂わせるものとなっている。
【００８９】
また、例えば、前記第１の化合物１３が臭気性物質であり、噴霧後、時間差をもって噴霧付着箇所において臭気が漂うものが好ましい。噴霧薬剤の噴霧の際にはそのような刺激臭の薬剤を浴びたことが犯人には認識されず、犯人の逆上を招くことがない。噴霧後、時間差をもって噴霧付着箇所において第１の化合物１３が露出するため、犯人が犯行現場から立ち去った後で刺激臭の薬剤を浴びたことを認識するが、周囲の人にも認識されるため、逃走を困難とする効果がある。
【００９０】
次に、本実施例３にかかる防犯噴射装置１００ｂの犯人に対する使用の流れと、犯人に噴霧薬剤１０ｂが付着した後の流れについて説明する。
【００９１】
犯人が銀行店舗内に押し入った場合、防犯噴射装置１００ｂが取り付けてある来客カウンター５０上に要求された金銭の一部を置くなどし、来客カウンター５０の前方に犯人が立つように誘導する。
【００９２】
犯人が来客カウンター５０の前方に立った後、犯人が金銭を取る動作の前後などのタイミングを見計らって、ノズル開閉スイッチ３３を押下し、ノズル３１から充填タンク２０内に充填されている噴霧薬剤１０ｂを犯人の膝から足元に噴霧する。なお、噴霧薬剤１０ｂの内部には臭気性物質が封入されている。
【００９３】
噴霧された噴霧薬剤１０ｂは、当初、第１の化合物１３は凝固剤である第２の化合物１４により封入されており、噴霧薬剤１０ｂの噴霧直後は露出していない。犯人は通常、１分から３分以内に犯行を終え、逃走することが多い。
【００９４】
ここで、第２の化合物１４は、空気中の水分と触れ合うことにより溶解してゆくが、その膜厚などの調整によって内部に封入されている第１の化合物１３が表面に露出するまで時間差が生じるよう調整されており、例えば、５分から１０分経過後に第１の化合物１３が露出する。
犯人に噴射薬剤を噴射後から第２の化合物１４は徐々に溶解が進んで行くが、犯人が逃走後、５分から１０分経過後に第１の化合物１３が表面に露出してくる。つまり、人間の臭覚にも感得される臭気性物質が犯人のズボンや靴などから臭気を発することとなる。
【００９５】
臭気性物質からの臭気は、犯人および犯人の周囲に漂い、また、犯人の通り道に沿って点々と散在してゆくこととなる。周囲の人間は不快な臭気を発する犯人を認識するとともに、犯人も自分が臭気を発していて周囲の注目を集めていることを察知し、逃走中の犯人は大きく動揺することとなる。
臭気性物質は犬の嗅覚にも感得されるものであるので、犯行の通知を受けた警察組織は訓練された警察犬を利用して臭気性物質の痕跡を追ってゆくことができる。つまり、本実施例３の防犯噴射装置１００ｂによれば、表面に露出した臭気性物質を利用して逃走した犯人を追跡することができる。
【００９６】
臭気性物質は周囲の人も気付きやすいため、逃走した犯人の追跡の際に通行人からの情報を得やすく容疑者の特定に寄与する。
なお、本実施例３においても、噴霧薬剤として、噴霧薬剤１０ｂのほか、実施例２で示した動植物のＤＮＡ包含物質を封入した噴霧薬剤１０ａを混合しておくことも好ましい。本実施例３においても、噴霧薬剤の中に実施例２で示した噴霧薬剤１０ａも混合しておくことにより、噴霧薬剤を浴びた犯人のズボンや靴に動植物のＤＮＡ包含物質が付着することとなる。
【００９７】
警察犬の反応だけでは犯人の犯行に対する決定的な証拠とは言えないが、防犯噴射装置１００ｂごとに固有の遺伝子配列パターンとなっている動植物のＤＮＡ包含物質の遺伝子配列パターンを調べることにより、容疑者がどこの防犯噴射装置１００ｂの充填タンク２０に充填されていた噴霧薬剤を浴びたのか一意に特定できる。そのため、容疑者が実行犯であるという証拠となり得る。
【００９８】
つまり、噴霧薬剤１０ｂに封入された臭気性物質により逃走中の犯人の追跡を容易とし、容疑者を確保した後は、封入された動植物のＤＮＡ包含物質の遺伝子配列パターンを調査することにより、犯人が犯行現場において噴霧薬剤１０ｂを浴びたことを容易に立証できる。
【実施例４】
【００９９】
以下、図面を参照しながら本発明の第１の自動噴霧機能付きの防犯噴射装置１００ｃの構成例を説明する。実施例４の本発明の第１の自動噴霧機能付きの防犯噴射装置１００ｃは、通常の状態ではオフとしておき、従業員が犯罪行為または犯罪予備行為を認識した場合に起動スイッチを押下して防犯噴射装置１００ｃをオンとし、その後は、自動噴霧装置との連動により犯罪行為者に対して噴霧薬剤を自動噴霧するものである。
【０１００】
図６は、本発明の実施例４の防犯噴射装置１００ｃの構成例を示す図である。
図６に示すように、実施例４の防犯噴射装置１００ｃは、噴霧薬剤１０、噴霧薬剤の充填タンク２０、噴射機構３０、アタッチメント４０に加え、さらに、建造物付随設備５０において、起動スイッチ６０、位置検知部７０、噴射機構開閉操作部８０を備えた構成となっている。
【０１０１】
起動スイッチ６０は、手動操作により防犯噴射装置１００ｃの位置検知部７０を起動するものである。例えば、起動スイッチ６０は従業員の足元や机の裏などに配置され、後述するように、犯罪行為または犯罪予備行為を認識した従業員自身が押下する。
【０１０２】
位置検知部７０は、撮像手段７１ａなどのデータ取得手段７１により得たデータを解析して画像認識結果を得る認識手段７２を備えている。
画像認識技術として、画像に写り込んだ対象物から人間を認識する技術が知られているが、位置検知部７０の認識手段７２も画像に写り込んだ対象物から人間を認識する機能を備えている。つまり、位置検知部７０は、犯人の立ち位置を認識することができる。
また、位置検知部７０は、あらかじめ防犯噴射装置１００ｃの噴射機構３０の噴霧薬剤が噴霧される位置を記憶しており、認識した犯人の立ち位置が噴射機構３０の噴霧薬剤が噴霧される位置付近であれば、噴射機構開閉操作部８０に対してノズル開閉スイッチ３３を操作する制御信号を送る機能を備えている。
【０１０３】
噴射機構開閉操作部８０は、位置検知部７０により得た制御信号により噴射機構３０のノズル開閉スイッチ３３を操作する部分である。ノズル開閉スイッチ３３を操作する手段としては特に限定されないが、例えば、オンオフ信号によりノズル開閉スイッチ３３に対する押下を制御するアクチュエータが搭載されているものとする。
【０１０４】
本実施例４にかかる防犯噴射装置１００ｃの犯人に対する自動噴霧の流れについて説明する。
例えば、図７（ａ）に示すように、防犯噴射装置１００ｃを装備した店舗に、目出し帽を被った強盗犯が進入したとする。
【０１０５】
従業員は目出し帽を被った人間に気付くと、強盗犯が店内に侵入してきたことを認識する。その段階で従業員は犯人に気付かれないように足元の起動スイッチ６０を踏んで押下する。
起動スイッチ６０が押下されると位置検知部７０が起動される。
位置検知部７０が起動された後、図７（ａ）に示すように、撮像手段（カメラ）７１ａによって、犯人の画像が撮像される。撮像手段７１ａから得た画像データは認識手段７２によって解析され、人間という画像認識結果が得られる。
【０１０６】
さらに、位置検知部７０は、あらかじめ防犯噴射装置１００ｃの噴射機構３０の噴霧薬剤が噴霧される位置を記憶しており、認識した犯人の立ち位置が噴射機構３０の噴霧薬剤が噴霧される位置付近であると判断すれば、噴射機構開閉操作部８０に対してノズル開閉スイッチ３３を操作する制御信号を送る。
なお、図７では来客カウンター５０の前に噴射機構３０の噴霧薬剤が噴霧される位置がある場合の図であるが、犯人の動線にあれば良く、入り口付近、フロアマット付近、廊下など店舗の環境に合わせて様々な位置があり得る。
【０１０７】
噴射機構開閉操作部８０は、位置検知部７０により得た制御信号により噴射機構３０のノズル開閉スイッチ３３を操作する。
そして、図７（ｂ）に示すように、噴射機構３０のノズル開閉スイッチ３３により噴射機構３０のノズル開閉機構３２が開閉され、ノズル３１から自動的に犯人に向かって噴霧薬剤が噴射される。
【０１０８】
実施例４の防犯噴射装置１００ｃによれば、起動スイッチにより起動された後、犯罪行為者に対して噴霧薬剤を自動噴霧することができるため、緊迫した状況であっても従業員は起動スイッチを押すという操作のみでよく、後は自動噴霧が可能となる。
【０１０９】
上記の例では、金融機関などの店舗カウンターに防犯噴射装置を組み込んだ例を紹介したが、防犯噴射装置は、ドアやフロアマットなどその他の建築付随物、ＡＴＭ、金庫、レジスター、商品陳列ケースなどの金品取り扱い設備、さらに、警棒、防護盾などの防犯器具など多様な物品に組み込むことが可能である。
【実施例５】
【０１１０】
以下、本発明の第２の自動噴霧機能付きの防犯噴射装置の構成例を、図面を参照しながら説明する。実施例５は、自動噴霧装置と組み合わせ、犯罪行為または犯罪予備行為を自動検知し、犯罪行為者に対して噴霧薬剤を自動噴霧するものである。噴霧薬剤の犯人への噴霧が気付かれないように行うため、また、緊迫した状況での従業員の操作という負荷低減を目的とする。
【０１１１】
図８は、本発明の実施例５の防犯噴射装置１００ｄの構成例を示す図である。
図８に示すように、実施例５の防犯噴射装置１００ｄは、噴霧薬剤１０、噴霧薬剤の充填タンク２０、噴射機構３０、アタッチメント４０に加え、さらに、建造物付随設備５０において、犯罪検知部９０、噴射機構開閉操作部８０を備えた構成となっている。
【０１１２】
犯罪検知部９０は、撮像手段９１ａや音声取得手段９１ｂというデータ取得手段９１に加え、撮像手段９１ａから得た画像データや音声取得手段９１ａから得た音声データを解析して画像認識結果や音声認識結果を得る認識手段９２、さらに、認識手段９２の画像認識結果や音声認識結果に基づいて犯罪行為または犯罪予備行為を検知する犯罪検知手段９３を備えている。
【０１１３】
噴射機構開閉操作部８０は、犯罪検知部９０により得た制御信号により噴射機構３０のノズル開閉スイッチ３３を操作する部分である。ノズル開閉スイッチ３３を操作する手段としては特に限定されないが、例えば、オンオフ信号によりノズル開閉スイッチ３３に対する押下を制御するアクチュエータが搭載されているものとする。
【０１１４】
本実施例５にかかる防犯噴射装置１００ｄの犯人に対する自動噴霧の流れについて説明する。
例えば、図９（ａ）に示すように、防犯噴射装置１００ｄを装備した店舗に、目出し帽を被った強盗犯が進入したとする。
図９（ａ）に示すように、撮像手段（カメラ）９１ａによって、犯人の画像が撮像される。撮像手段９１ａから得た画像データは認識手段９２によって解析され、“目出し帽を被った人物”という画像認識結果が犯罪検知手段９３に送信される。
【０１１５】
さらに、例えば、犯人が銀行の行員に向かって「強盗だ、金を出せ」などの犯罪行為を示す声を発したとする。犯人の音声は図９（ａ）に示すように、犯罪検知部９０の音声取得手段（マイク）９１ｂにより収集される。音声取得手段９１ｂから得た音声データは認識手段９２によって解析され、“強盗だ、金を出せ”という音声認識結果が犯罪検知手段９３に送信される。
【０１１６】
犯罪検知手段９３は、“目出し帽を被った人物”の画像データ、“強盗だ、金を出せ”という脅迫の音声データを取得すると、犯罪行為または犯罪予備行為にあたる状況と判定する。
【０１１７】
次に、犯罪検知手段９３は、撮像手段９１ａにより撮像される画像の画像認識により犯人の立ち位置を判断する。
犯罪検知手段９３は、犯人の立ち位置が本発明の防犯噴射装置１００ｄの薬剤噴射装置３０の薬剤噴射範囲に入っていることを判定する。
【０１１８】
犯罪検知手段９３は、犯人の立ち位置が本発明の防犯噴射装置１００ｄの薬剤噴射装置３０の薬剤噴射範囲に入っていると判定すれば、噴射機構開閉操作部８０に薬剤噴射装置３０の操作開始の制御信号を送る。
なお、図９では来客カウンター５０の前に噴射機構３０の噴霧薬剤が噴霧される位置がある場合の図であるが、犯人の動線にあれば良く、入り口付近、フロアマット付近、廊下など店舗の環境に合わせて様々な位置があり得る。
【０１１９】
噴射機構開閉操作部８０は、犯罪検知部９０により得た制御信号により噴射機構３０のノズル開閉スイッチ３３を操作する。
そして、図９（ｂ）に示すように、噴射機構３０のノズル開閉スイッチ３３により噴射機構３０のノズル開閉機構３２が開閉され、ノズル３１から自動的に犯人に向かって噴霧薬剤が噴射される。
【０１２０】
実施例５の防犯噴射装置１００ｄによれば、犯罪行為または犯罪予備行為を自動検知し、噴霧薬剤の犯人への噴霧が気付かれないように犯罪行為者に対して噴霧薬剤を自動噴霧することができるため、緊迫した状況での従業員の操作という負荷がなくなり、確実に犯人に対して噴霧薬液を浴びせることができる。
【０１２１】
上記の例では、金融機関などの店舗カウンターに防犯噴射装置を組み込んだ例を紹介したが、防犯噴射装置は、ドアやフロアマットなどその他の建築付随物、ＡＴＭ、金庫、レジスター、商品陳列ケースなどの金品取り扱い設備、さらに、警棒、防護盾などの防犯器具など多様な物品に組み込むことが可能である。
【０１２２】
以上、本発明の防犯噴射装置の構成例における好ましい実施形態を図示して説明してきたが、本発明の技術的範囲を逸脱することなく種々の変更が可能であることは理解されるであろう。
【産業上の利用可能性】
【０１２３】
本発明の防犯噴射装置は、強盗犯などに対する防犯装置として広く適用することができる。
【図面の簡単な説明】
【０１２４】
【図１】本発明の実施例１の防犯噴射装置１００の構成例を簡単に示した図
【図２】防犯噴射装置１００の犯人に対する使用の流れを示した図
【図３】本発明の実施例２の防犯噴射装置１００ａの構成例を簡単に示した図
【図４】噴霧薬剤１０が二重構造となり、封入されている内部の第１の化合物１３が気圧変化等から保護される様子を示す図
【図５】防犯噴射装置１００ａの犯人に対する使用の流れを示した図
【図６】本発明の実施例４の防犯噴射装置１００ｃの構成例を簡単に示す図
【図７】防犯噴射装置１００ｃの犯人に対する使用の流れを示した図
【図８】本発明の実施例５の防犯噴射装置１００ｄの構成例を簡単に示す図
【図９】防犯噴射装置１００ｄの犯人に対する使用の流れを示した図
【符号の説明】
【０１２５】
１０  噴霧薬剤
１１  標識剤
１２  基剤
１３  第１の化合物
１４  第２の化合物
２０  充填タンク
２１  液化ガス
３０  噴射機構
３１  ノズル
３２  ノズル開閉機構
３３  ノズル開閉スイッチ
４０  アタッチメント
５０  建造物付随設備
６０  起動スイッチ
７０  位置検知部
８０  噴射機構開閉操作部８０
９０  犯罪検知部
１００  防犯噴射装置
【図１】
2011257874.tif 000003
【図２】
2011257874.tif 000004
【図３】
2011257874.tif 000005
【図４】
2011257874.tif 000006
【図５】
2011257874.tif 000007
【図６】
2011257874.tif 000008
【図７】
2011257874.tif 000009
【図８】
2011257874.tif 000010
【図９】
2011257874.tif 000011